(57)【特許請求の範囲】
【請求項１】
股関節部を人体の前面側から撮影した股関節画像を表示手段のモニタ画面に表示させ、当該表示された股関節画像からＣＥ角を計測する画像計測装置であって、
前記モニタ画面に表示された股関節画像においてＣＥ角計測用の補助線を描画する位置を指定するための操作手段と、
前記操作手段からの操作に基づいて、前記モニタ画面に表示された股関節画像の左右の涙痕下端を通る基準補助線、右大腿骨頭の中心を通り前記基準補助線に垂直な第一垂直補助線、前記右大腿骨頭の中心と右臼蓋外側縁とを通る第一斜め補助線、左大腿骨頭の中心を通り前記基準補助線に垂直な第二垂直補助線、及び、前記左大腿骨頭の中心と左臼蓋外側縁とを通る第二斜め補助線を順に描画する描画制御手段と、
前記描画された第一垂直補助線と第一斜め補助線とのなす角度を右ＣＥ角として計測し、前記描画された第二垂直補助線と第二斜め補助線とのなす角度を左ＣＥ角として計測する計測手段と、
を備え、
前記描画制御手段は、前記第一垂直補助線上においてのみ前記第一斜め補助線の始点の指定を許可し、前記第一垂直補助線より前記モニタ画面の右側の領域においてのみ前記第二垂直補助線の描画を許可し、前記第二垂直補助線上においてのみ前記第二斜め補助線の始点の指定を許可する画像計測装置。
【請求項２】
股関節部を人体の前面側から撮影した股関節画像を表示手段のモニタ画面に表示させ、当該表示された股関節画像からＣＥ角を計測する画像計測装置であって、
前記モニタ画面に表示された股関節画像においてＣＥ角計測用の補助線を描画する位置を指定するための操作手段と、
前記操作手段からの操作に基づいて、前記モニタ画面に表示された股関節画像の左右の涙痕下端を通る基準補助線、左大腿骨頭の中心を通り前記基準補助線に垂直な第一垂直補助線、前記左大腿骨頭の中心と左臼蓋外側縁とを通る第一斜め補助線、右大腿骨頭の中心を通り前記基準補助線に垂直な第二垂直補助線、及び、前記右大腿骨頭の中心と右臼蓋外側縁とを通る第二斜め補助線を順に描画する描画制御手段と、
前記描画された第一垂直補助線と第一斜め補助線とのなす角度を左ＣＥ角として計測し、前記描画された第二垂直補助線と第二斜め補助線とのなす角度を右ＣＥ角として計測する計測手段と、
を備え、
前記描画制御手段は、前記第一垂直補助線上においてのみ前記第一斜め補助線の始点の指定を許可し、前記第一垂直補助線より前記モニタ画面の左側の領域においてのみ前記第二垂直補助線の描画を許可し、前記第二垂直補助線上においてのみ前記第二斜め補助線の始点の指定を許可する画像計測装置。
【請求項３】
前記描画制御手段は、更に、前記モニタ画面の前記第一斜め補助線の始点の指定、前記第二垂直補助線の描画又は前記第二斜め補助線の始点の指定を禁止する領域では、前記操作手段による描画位置を示す図形を前記第一斜め補助線の始点の指定、前記第二垂直補助線の描画又は前記第二斜め補助線の始点の指定を許可する領域における表示とは変更する、
請求項１又は２に記載の画像計測装置。
【請求項４】
前記描画制御手段は、更に、前記モニタ画面の前記第一斜め補助線の始点の指定、前記第二垂直補助線の描画又は前記第二斜め補助線の始点の指定を禁止する領域を、前記モニタ画面の前記第一斜め補助線の始点の指定、前記第二垂直補助線の描画又は前記第二斜め補助線の始点の指定を許可する領域とは異なる色で表示させる、
請求項１から３のいずれか一項に記載の画像計測装置。
【請求項５】
前記第一垂直補助線と前記第一斜め補助線の組、前記第二垂直補助線と前記第二斜め補助線の組を組単位で移動可能な移動手段と、
前記第一垂直補助線と前記第一斜め補助線の組、又は、前記第二垂直補助線と前記第二斜め補助線の組のうちいずれか一の組が移動された場合に、当該移動後の第一垂直補助線及び第二垂直補助線の前記基準補助線に沿う方向における位置関係に基づいて、相対的に人体の右側に相当する垂直補助線と斜め補助線とのなす角度を右ＣＥ角として再計測し、相対的に人体の左側に相当する垂直補助線と斜め補助線とのなす角度を左ＣＥ角として再計測する再計測手段と、
を更に備える、
請求項１から４のいずれか一項に記載の画像計測装置。
【請求項６】
股関節部を人体の前面側から撮影した股関節画像を保存する画像サーバ装置と、当該画像サーバ装置から取得した股関節画像を表示手段のモニタ画面に表示させ、当該表示された股関節画像からＣＥ角を計測する画像計測装置とが通信ネットワークを介してデータ通信可能に接続された医用画像システムであって、
前記画像計測装置は、
前記モニタ画面に表示された股関節画像においてＣＥ角計測用の補助線を描画する位置を指定するための操作手段と、
前記操作手段からの操作に基づいて、前記モニタ画面に表示された股関節画像の左右の涙痕下端を通る基準補助線、右大腿骨頭の中心を通り前記基準補助線に垂直な第一垂直補助線、前記右大腿骨頭の中心と右臼蓋外側縁とを通る第一斜め補助線、左大腿骨頭の中心を通り前記基準補助線に垂直な第二垂直補助線、及び、前記左大腿骨頭の中心と左臼蓋外側縁とを通る第二斜め補助線を順に描画する描画制御手段と、
前記描画された第一垂直補助線と第一斜め補助線とのなす角度を右ＣＥ角として計測し、前記描画された第二垂直補助線と第二斜め補助線とのなす角度を左ＣＥ角として計測する計測手段と、
を備え、
前記描画制御手段は、前記第一垂直補助線上においてのみ前記第一斜め補助線の始点の指定を許可し、前記第一垂直補助線より前記モニタ画面の右側の領域においてのみ前記第二垂直補助線の描画を許可し、前記第二垂直補助線上においてのみ前記第二斜め補助線の始点の指定を許可する医用画像システム。
【請求項７】
股関節部を人体の前面側から撮影した股関節画像を保存する画像サーバ装置と、当該画像サーバ装置から取得した股関節画像を表示手段のモニタ画面に表示させ、当該表示された股関節画像からＣＥ角を計測する画像計測装置とが通信ネットワークを介してデータ通信可能に接続された医用画像システムであって、
前記画像計測装置は、
前記モニタ画面に表示された股関節画像においてＣＥ角計測用の補助線を描画する位置を指定するための操作手段と、
前記操作手段からの操作に基づいて、前記モニタ画面に表示された股関節画像の左右の涙痕下端を通る基準補助線、左大腿骨頭の中心を通り前記基準補助線に垂直な第一垂直補助線、前記左大腿骨頭の中心と左臼蓋外側縁とを通る第一斜め補助線、右大腿骨頭の中心を通り前記基準補助線に垂直な第二垂直補助線、及び、前記右大腿骨頭の中心と右臼蓋外側縁とを通る第二斜め補助線を順に描画する描画制御手段と、
前記描画された第一垂直補助線と第一斜め補助線とのなす角度を左ＣＥ角として計測し、前記描画された第二垂直補助線と第二斜め補助線とのなす角度を右ＣＥ角として計測する計測手段と、
を備え、
前記描画制御手段は、前記第一垂直補助線上においてのみ前記第一斜め補助線の始点の指定を許可し、前記第一垂直補助線より前記モニタ画面の左側の領域においてのみ前記第二垂直補助線の描画を許可し、前記第二垂直補助線上においてのみ前記第二斜め補助線の始点の指定を許可する医用画像システム。
【請求項８】
股関節部を人体の前面側から撮影した股関節画像を表示手段のモニタ画面に表示させ、当該表示された股関節画像からＣＥ角を計測するコンピュータを、
前記モニタ画面に表示された股関節画像においてＣＥ角計測用の補助線を描画する位置を指定するための操作手段、
前記操作手段からの操作に基づいて、前記モニタ画面に表示された股関節画像の左右の涙痕下端を通る基準補助線、右大腿骨頭の中心を通り前記基準補助線に垂直な第一垂直補助線、前記右大腿骨頭の中心と右臼蓋外側縁とを通る第一斜め補助線、左大腿骨頭の中心を通り前記基準補助線に垂直な第二垂直補助線、及び、前記左大腿骨頭の中心と左臼蓋外側縁とを通る第二斜め補助線を順に描画する描画制御手段、
前記描画された第一垂直補助線と第一斜め補助線とのなす角度を右ＣＥ角として計測し、前記描画された第二垂直補助線と第二斜め補助線とのなす角度を左ＣＥ角として計測する計測手段、
として機能させるためのプログラムであって、
前記描画制御手段は、前記第一垂直補助線上においてのみ前記第一斜め補助線の始点の指定を許可し、前記第一垂直補助線より前記モニタ画面の右側の領域においてのみ前記第二垂直補助線の描画を許可し、前記第二垂直補助線上においてのみ前記第二斜め補助線の始点の指定を許可するプログラム。
【請求項９】
股関節部を人体の前面側から撮影した股関節画像を表示手段のモニタ画面に表示させ、当該表示された股関節画像からＣＥ角を計測するコンピュータを、
前記モニタ画面に表示された股関節画像においてＣＥ角計測用の補助線を描画する位置を指定するための操作手段、
前記操作手段からの操作に基づいて、前記モニタ画面に表示された股関節画像の左右の涙痕下端を通る基準補助線、左大腿骨頭の中心を通り前記基準補助線に垂直な第一垂直補助線、前記左大腿骨頭の中心と左臼蓋外側縁とを通る第一斜め補助線、右大腿骨頭の中心を通り前記基準補助線に垂直な第二垂直補助線、及び、前記右大腿骨頭の中心と右臼蓋外側縁とを通る第二斜め補助線を順に描画する描画制御手段、
前記描画された第一垂直補助線と第一斜め補助線とのなす角度を左ＣＥ角として計測し、前記描画された第二垂直補助線と第二斜め補助線とのなす角度を右ＣＥ角として計測する計測手段、
として機能させるためのプログラムであって、
前記描画制御手段は、前記第一垂直補助線上においてのみ前記第一斜め補助線の始点の指定を許可し、前記第一垂直補助線より前記モニタ画面の左側の領域においてのみ前記第二垂直補助線の描画を許可し、前記第二垂直補助線上においてのみ前記第二斜め補助線の始点の指定を許可するプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。
【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。
【０００４】
例えば、変形性股関節症（臼蓋形成不全）の診断には、ＣＥ角（Central-edge angle）が用いられる。変形性股関節症の症状として、股関節痛、運動痛、可動域制限、歩行障害等の日常生活動作の障害が挙げられる。ＣＥ角は、大腿骨頭の中心を通る垂直線と、その中心と臼蓋外側縁とを通る線とのなす角度をいう。正常値は２５度以上であり、１０度未満では股関節症へと進行しやすい。
【０００５】
図１２に、左右の股関節部を人体の前面側からＸ線撮影した股関節画像の例を示す。図１２の左側が人体の右側に相当し、図１２の右側が人体の左側に相当する。ＣＥ角を計測する際には、まず、股関節画像をモニタ画面に表示させ、モニタ画面上で右涙痕下端５１と左涙痕下端５２とを通る基準補助線Ｌ１、右大腿骨頭の中心５３を通り基準補助線Ｌ１に垂直な垂直補助線Ｌ２、右大腿骨頭の中心５３と右臼蓋外側縁５４とを通る斜め補助線Ｌ３、左大腿骨頭の中心５５を通り基準補助線Ｌ１に垂直な垂直補助線Ｌ４、左大腿骨頭の中心５５と左臼蓋外側縁５６とを通る斜め補助線Ｌ５を引く。右ＣＥ角θ１は、垂直補助線Ｌ２と斜め補助線Ｌ３とのなす角度であり、左ＣＥ角θ２は、垂直補助線Ｌ４と斜め補助線Ｌ５とのなす角度である。
【０００６】
また、医用画像から診断に用いるための特徴を示す角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００７】
しかし、上述したように、モニタ画面上では、描画した補助線を容易に移動させることができるため、一度引いた垂直補助線や斜め補助線の位置関係が変わるような移動を行った場合に、垂直補助線及び斜め補助線と計測対象との対応関係、すなわち、計測されたＣＥ角がいずれの垂直補助線と斜め補助線とのなす角度なのかを認識することが困難となる場合があった。
【０００８】
例えば、図１３（ａ）に示すように、股関節画像上に左右の涙痕下端を通る基準補助線Ｌ６、右大腿骨頭の中心を通り基準補助線Ｌ６に垂直な垂直補助線Ｌ７、右大腿骨頭の中心と右臼蓋外側縁とを通る斜め補助線Ｌ８、左大腿骨頭の中心を通り基準補助線Ｌ６に垂直な垂直補助線Ｌ９、左大腿骨頭の中心と左臼蓋外側縁とを通る斜め補助線Ｌ１０が描画された場合には、垂直補助線Ｌ７と斜め補助線Ｌ８とのなす角度が右ＣＥ角として計測され、垂直補助線Ｌ９と斜め補助線Ｌ１０とのなす角度が左ＣＥ角として計測される。
【０００９】
ＣＥ角の計測機能においては、一般的に、垂直補助線と斜め補助線とを組にして組単位でその位置を移動させる場合が多い。図１３（ｂ）に示すように、垂直補助線Ｌ９と斜め補助線Ｌ１０の組を垂直補助線Ｌ７と斜め補助線Ｌ８の組より左側の領域へ移動した場合、補助線と計測対象との対応関係は変わらないため、右ＣＥ角として計測されるのは垂直補助線Ｌ７と斜め補助線Ｌ８とのなす角度であり、左ＣＥ角として計測されるのは、垂直補助線Ｌ９と斜め補助線Ｌ１０とのなす角度である。ところが、ユーザは、見た目上の並び順で判断するため、右ＣＥ角として計測された値が垂直補助線Ｌ９と斜め補助線Ｌ１０とのなす角度を示し、左ＣＥ角として計測された値が垂直補助線Ｌ７と斜め補助線Ｌ８とのなす角度を示していると誤認し、診断を誤るおそれがあった。
【００１０】
本発明は、上記の従来技術における問題に鑑みてなされたものであって、股関節画像のＣＥ角の計測における操作性を向上させるとともに、誤診を防止することを課題とする。
【課題を解決するための手段】
【００１１】
上記課題を解決するために、請求項１に記載の発明は、股関節部を人体の前面側から撮影した股関節画像を表示手段のモニタ画面に表示させ、当該表示された股関節画像からＣＥ角を計測する画像計測装置であって、前記モニタ画面に表示された股関節画像においてＣＥ角計測用の補助線を描画する位置を指定するための操作手段と、前記操作手段からの操作に基づいて、前記モニタ画面に表示された股関節画像の左右の涙痕下端を通る基準補助線、右大腿骨頭の中心を通り前記基準補助線に垂直な第一垂直補助線、前記右大腿骨頭の中心と右臼蓋外側縁とを通る第一斜め補助線、左大腿骨頭の中心を通り前記基準補助線に垂直な第二垂直補助線、及び、前記左大腿骨頭の中心と左臼蓋外側縁とを通る第二斜め補助線を順に描画する描画制御手段と、前記描画された第一垂直補助線と第一斜め補助線とのなす角度を右ＣＥ角として計測し、前記描画された第二垂直補助線と第二斜め補助線とのなす角度を左ＣＥ角として計測する計測手段と、を備え、前記描画制御手段は、前記第一垂直補助線上においてのみ前記第一斜め補助線の始点の指定を許可し、前記第一垂直補助線より前記モニタ画面の右側の領域においてのみ前記第二垂直補助線の描画を許可し、前記第二垂直補助線上においてのみ前記第二斜め補助線の始点の指定を許可する。
【００１２】
請求項２に記載の発明は、股関節部を人体の前面側から撮影した股関節画像を表示手段のモニタ画面に表示させ、当該表示された股関節画像からＣＥ角を計測する画像計測装置であって、前記モニタ画面に表示された股関節画像においてＣＥ角計測用の補助線を描画する位置を指定するための操作手段と、前記操作手段からの操作に基づいて、前記モニタ画面に表示された股関節画像の左右の涙痕下端を通る基準補助線、左大腿骨頭の中心を通り前記基準補助線に垂直な第一垂直補助線、前記左大腿骨頭の中心と左臼蓋外側縁とを通る第一斜め補助線、右大腿骨頭の中心を通り前記基準補助線に垂直な第二垂直補助線、及び、前記右大腿骨頭の中心と右臼蓋外側縁とを通る第二斜め補助線を順に描画する描画制御手段と、前記描画された第一垂直補助線と第一斜め補助線とのなす角度を左ＣＥ角として計測し、前記描画された第二垂直補助線と第二斜め補助線とのなす角度を右ＣＥ角として計測する計測手段と、を備え、前記描画制御手段は、前記第一垂直補助線上においてのみ前記第一斜め補助線の始点の指定を許可し、前記第一垂直補助線より前記モニタ画面の左側の領域においてのみ前記第二垂直補助線の描画を許可し、前記第二垂直補助線上においてのみ前記第二斜め補助線の始点の指定を許可する。
【００１３】
請求項３に記載の発明は、請求項１又は２に記載の画像計測装置において、前記描画制御手段は、更に、前記モニタ画面の前記第一斜め補助線の始点の指定、前記第二垂直補助線の描画又は前記第二斜め補助線の始点の指定を禁止する領域では、前記操作手段による描画位置を示す図形を前記第一斜め補助線の始点の指定、前記第二垂直補助線の描画又は前記第二斜め補助線の始点の指定を許可する領域における表示とは変更する。
【００１４】
請求項４に記載の発明は、請求項１から３のいずれか一項に記載の画像計測装置において、前記描画制御手段は、更に、前記モニタ画面の前記第一斜め補助線の始点の指定、前記第二垂直補助線の描画又は前記第二斜め補助線の始点の指定を禁止する領域を、前記モニタ画面の前記第一斜め補助線の始点の指定、前記第二垂直補助線の描画又は前記第二斜め補助線の始点の指定を許可する領域とは異なる色で表示させる。
【００１５】
請求項５に記載の発明は、請求項１から４のいずれか一項に記載の画像計測装置において、前記第一垂直補助線と前記第一斜め補助線の組、前記第二垂直補助線と前記第二斜め補助線の組を組単位で移動可能な移動手段と、前記第一垂直補助線と前記第一斜め補助線の組、又は、前記第二垂直補助線と前記第二斜め補助線の組のうちいずれか一の組が移動された場合に、当該移動後の第一垂直補助線及び第二垂直補助線の前記基準補助線に沿う方向における位置関係に基づいて、相対的に人体の右側に相当する垂直補助線と斜め補助線とのなす角度を右ＣＥ角として再計測し、相対的に人体の左側に相当する垂直補助線と斜め補助線とのなす角度を左ＣＥ角として再計測する再計測手段と、を更に備える。
【００１６】
請求項６に記載の発明は、股関節部を人体の前面側から撮影した股関節画像を保存する画像サーバ装置と、当該画像サーバ装置から取得した股関節画像を表示手段のモニタ画面に表示させ、当該表示された股関節画像からＣＥ角を計測する画像計測装置とが通信ネットワークを介してデータ通信可能に接続された医用画像システムであって、前記画像計測装置は、前記モニタ画面に表示された股関節画像においてＣＥ角計測用の補助線を描画する位置を指定するための操作手段と、前記操作手段からの操作に基づいて、前記モニタ画面に表示された股関節画像の左右の涙痕下端を通る基準補助線、右大腿骨頭の中心を通り前記基準補助線に垂直な第一垂直補助線、前記右大腿骨頭の中心と右臼蓋外側縁とを通る第一斜め補助線、左大腿骨頭の中心を通り前記基準補助線に垂直な第二垂直補助線、及び、前記左大腿骨頭の中心と左臼蓋外側縁とを通る第二斜め補助線を順に描画する描画制御手段と、前記描画された第一垂直補助線と第一斜め補助線とのなす角度を右ＣＥ角として計測し、前記描画された第二垂直補助線と第二斜め補助線とのなす角度を左ＣＥ角として計測する計測手段と、を備え、前記描画制御手段は、前記第一垂直補助線上においてのみ前記第一斜め補助線の始点の指定を許可し、前記第一垂直補助線より前記モニタ画面の右側の領域においてのみ前記第二垂直補助線の描画を許可し、前記第二垂直補助線上においてのみ前記第二斜め補助線の始点の指定を許可する。
【００１７】
請求項７に記載の発明は、股関節部を人体の前面側から撮影した股関節画像を保存する画像サーバ装置と、当該画像サーバ装置から取得した股関節画像を表示手段のモニタ画面に表示させ、当該表示された股関節画像からＣＥ角を計測する画像計測装置とが通信ネットワークを介してデータ通信可能に接続された医用画像システムであって、前記画像計測装置は、前記モニタ画面に表示された股関節画像においてＣＥ角計測用の補助線を描画する位置を指定するための操作手段と、前記操作手段からの操作に基づいて、前記モニタ画面に表示された股関節画像の左右の涙痕下端を通る基準補助線、左大腿骨頭の中心を通り前記基準補助線に垂直な第一垂直補助線、前記左大腿骨頭の中心と左臼蓋外側縁とを通る第一斜め補助線、右大腿骨頭の中心を通り前記基準補助線に垂直な第二垂直補助線、及び、前記右大腿骨頭の中心と右臼蓋外側縁とを通る第二斜め補助線を順に描画する描画制御手段と、前記描画された第一垂直補助線と第一斜め補助線とのなす角度を左ＣＥ角として計測し、前記描画された第二垂直補助線と第二斜め補助線とのなす角度を右ＣＥ角として計測する計測手段と、を備え、前記描画制御手段は、前記第一垂直補助線上においてのみ前記第一斜め補助線の始点の指定を許可し、前記第一垂直補助線より前記モニタ画面の左側の領域においてのみ前記第二垂直補助線の描画を許可し、前記第二垂直補助線上においてのみ前記第二斜め補助線の始点の指定を許可する。
【００１８】
請求項８に記載の発明は、股関節部を人体の前面側から撮影した股関節画像を表示手段のモニタ画面に表示させ、当該表示された股関節画像からＣＥ角を計測するコンピュータを、前記モニタ画面に表示された股関節画像においてＣＥ角計測用の補助線を描画する位置を指定するための操作手段、前記操作手段からの操作に基づいて、前記モニタ画面に表示された股関節画像の左右の涙痕下端を通る基準補助線、右大腿骨頭の中心を通り前記基準補助線に垂直な第一垂直補助線、前記右大腿骨頭の中心と右臼蓋外側縁とを通る第一斜め補助線、左大腿骨頭の中心を通り前記基準補助線に垂直な第二垂直補助線、及び、前記左大腿骨頭の中心と左臼蓋外側縁とを通る第二斜め補助線を順に描画する描画制御手段、前記描画された第一垂直補助線と第一斜め補助線とのなす角度を右ＣＥ角として計測し、前記描画された第二垂直補助線と第二斜め補助線とのなす角度を左ＣＥ角として計測する計測手段、として機能させるためのプログラムであって、前記描画制御手段は、前記第一垂直補助線上においてのみ前記第一斜め補助線の始点の指定を許可し、前記第一垂直補助線より前記モニタ画面の右側の領域においてのみ前記第二垂直補助線の描画を許可し、前記第二垂直補助線上においてのみ前記第二斜め補助線の始点の指定を許可するプログラムである。
【００１９】
請求項９に記載の発明は、股関節部を人体の前面側から撮影した股関節画像を表示手段のモニタ画面に表示させ、当該表示された股関節画像からＣＥ角を計測するコンピュータを、前記モニタ画面に表示された股関節画像においてＣＥ角計測用の補助線を描画する位置を指定するための操作手段、前記操作手段からの操作に基づいて、前記モニタ画面に表示された股関節画像の左右の涙痕下端を通る基準補助線、左大腿骨頭の中心を通り前記基準補助線に垂直な第一垂直補助線、前記左大腿骨頭の中心と左臼蓋外側縁とを通る第一斜め補助線、右大腿骨頭の中心を通り前記基準補助線に垂直な第二垂直補助線、及び、前記右大腿骨頭の中心と右臼蓋外側縁とを通る第二斜め補助線を順に描画する描画制御手段、前記描画された第一垂直補助線と第一斜め補助線とのなす角度を左ＣＥ角として計測し、前記描画された第二垂直補助線と第二斜め補助線とのなす角度を右ＣＥ角として計測する計測手段、として機能させるためのプログラムであって、前記描画制御手段は、前記第一垂直補助線上においてのみ前記第一斜め補助線の始点の指定を許可し、前記第一垂直補助線より前記モニタ画面の左側の領域においてのみ前記第二垂直補助線の描画を許可し、前記第二垂直補助線上においてのみ前記第二斜め補助線の始点の指定を許可するプログラムである。
【発明の効果】
【００２０】
請求項１、２、６、７、８、９に記載の発明によれば、予め定められた順序でのみ補助線の描画を許可するので、股関節画像のＣＥ角の計測における操作性を向上させるとともに、誤診を防止することができる。
【００２１】
請求項３に記載の発明によれば、描画位置を示す図形が第一斜め補助線の始点の指定、第二垂直補助線の描画又は第二斜め補助線の始点の指定を禁止する領域にあることを認識しやすくなる。
【００２２】
請求項４に記載の発明によれば、第一斜め補助線の始点の指定、第二垂直補助線の描画又は第二斜め補助線の始点の指定を許可する領域と禁止する領域とを識別可能に表示することができる。
【００２３】
請求項５に記載の発明によれば、第一垂直補助線と第一斜め補助線の組、又は、第二垂直補助線と第二斜め補助線の組のうちいずれか一の組が移動された場合に、ＣＥ角を再計測するので、誤診を防止することができる。
【発明を実施するための最良の形態】
【００２４】
以下、図面を参照して、本発明に係る医用画像システムの一実施形態について説明する。
【００２５】
図１に、医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮＴを介してデータ通信可能に接続されている。
【００２６】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００２７】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００２８】
画像サーバ装置３０は、ＰＡＣＳにより構成され、モダリティ２０から受信した医用画像の画像データのファイルを保存し、画像計測装置４０等の外部機器からの要求に応じて画像ファイルを提供する。
【００２９】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００３０】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００３１】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３２】
表示部３３は、ＬＣＤ（Liquid Crystal Display）により構成され、制御部３１から入力される表示データに基づいて各種画面を表示する。
【００３３】
通信部３４は、ＲＩＳ１０、モダリティ２０、画像計測装置４０等の外部機器との間でデータの送受信を行うインターフェースである。
【００３４】
ＲＯＭ３５は、不揮発性の半導体メモリ等により構成され、制御プログラム、当該プログラムの実行に必要なパラメータやファイル等を記憶している。
【００３５】
記憶部３６は、ハードディスク等により構成され、各種データを記憶する。具体的には、記憶部３６には、画像ファイル、関連情報等が記憶される。画像ファイルは、モダリティ２０から受信した医用画像の画像データのファイルである。記憶部３６には、例えば、股関節部を人体の前面側から撮影した股関節画像の画像ファイルが保存されている。関連情報は、画像ファイルの画像に関連する情報をいい、各画像ファイルに対応付けられている。関連情報には、患者情報、検査情報等が含まれ、股関節画像の場合には、ＣＥ角の計測結果も含まれる。右ＣＥ角は、右大腿骨頭の中心を通る垂直線と、その中心と右臼蓋外側縁とを通る線とのなす角度であり、左ＣＥ角は、左大腿骨頭の中心を通る垂直線と、その中心と左臼蓋外側縁とを通る線とのなす角度である（図１２参照）。
【００３６】
制御部３１は、画像計測装置４０から画像ファイルの取得要求があった場合に、要求された画像ファイルを記憶部３６から読み出し、画像計測装置４０に送信する。また、制御部３１は、画像計測装置４０から計測結果を受信した場合に、受信した計測結果を、計測対象の画像ファイルと対応付けて記憶部３６に保存する。
【００３７】
画像計測装置４０は、画像サーバ装置３０から取得した医用画像を表示させ、当該医用画像の診断に用いる数値や角度を計測するための装置であって、ＰＣ（Personal Computer）等から構成される。例えば、画像計測装置４０は、股関節画像においては、変形性股関節症（臼蓋形成不全）の診断に用いるＣＥ角の計測を行う。
【００３８】
図３に、画像計測装置４０の機能的構成を示す。図３に示すように、画像計測装置４０は、制御部４１、操作部４２、表示部４３、通信部４４、ＲＯＭ４５、記憶部４６を備え、各部はバス４７により接続されている。
【００３９】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００４０】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面に表示された股関節画像においてＣＥ角計測用の補助線（基準補助線、第一垂直補助線、第一斜め補助線、第二垂直補助線、第二斜め補助線）を描画する位置を指定する際に用いられる。
【００４１】
表示部４３は、ＬＣＤにより構成され、制御部４１から入力される表示データに基づいて各種画面を表示する。具体的には、表示部４３は、股関節画像等の医用画像を表示する。
【００４２】
通信部４４は、画像サーバ装置３０等の外部機器との間でデータの送受信を行うインターフェースである。
【００４３】
ＲＯＭ４５は、不揮発性の半導体メモリ等により構成され、制御プログラム、当該プログラムの実行に必要なパラメータやファイル等を記憶している。
【００４４】
記憶部４６は、ハードディスク等により構成され、各種データを記憶する。
【００４５】
制御部４１は、通信部４４を介して、画像サーバ装置３０に対して、記憶部３６に記憶されている医用画像の画像ファイルの取得要求を送信し、画像サーバ装置３０から医用画像の画像ファイルを取得する。制御部４１は、取得した医用画像の画像ファイルに基づいて、表示部４３のモニタ画面に医用画像を表示させる。本実施の形態では、股関節画像の画像ファイルを取得し、表示部４３のモニタ画面に股関節画像を表示させる場合について説明する。
【００４６】
制御部４１は、操作部４２のマウスからの操作に基づいて、表示部４３のモニタ画面に表示された股関節画像の左右の涙痕下端を通る基準補助線、右大腿骨頭の中心を通り基準補助線に垂直な第一垂直補助線、右大腿骨頭の中心と右臼蓋外側縁とを通る第一斜め補助線、左大腿骨頭の中心を通り基準補助線に垂直な第二垂直補助線、及び、左大腿骨頭の中心と左臼蓋外側縁とを通る第二斜め補助線を順に描画する。
【００４７】
各補助線を描画する際に、ユーザは操作部４２から基準補助線の始点（１点目）及び終点（２点目）、第一垂直補助線の上端（３点目）、第一斜め補助線の始点（４点目）及び終点（５点目）、第二垂直補助線の上端（６点目）、第二斜め補助線の始点（７点目）及び終点（８点目）を指定する。第一垂直補助線及び第二垂直補助線は、基準補助線に垂直な線であるため、上端の位置を指定すれば、上端位置から基準補助線に垂線を下ろすことにより、第一垂直補助線及び第二垂直補助線を描画することができる。
【００４８】
第一斜め補助線を描画する際に、制御部４１は、モニタ画面において、第一垂直補助線上においてのみ第一斜め補助線の始点の指定を許可する。図４に、表示部４３のモニタ画面における座標の取り方（モニタ座標系）を示す。図４に示すように、モニタ座標系では、モニタ画面の右方向をＸ軸の正方向とし、モニタ画面の下方向をＹ軸の正方向とする。具体的には、制御部４１は、第一垂直補助線の上端（３点目）を通り基準補助線に垂直な直線Ｌの式（ｅＸ＋ｆＹ＋ｇ＝０）を取得し、操作部４２のマウスの位置に対応する表示部４３のモニタ画面上の座標（Ｘｍ，Ｙｍ）が直線Ｌの第一垂直補助線上（３点目から基準補助線に下ろした垂線の足まで）に存在する場合にのみ、第一斜め補助線の始点の指定を許可する。
【００４９】
次に、ある直線に対するある点の位置関係（点が直線を境界としてどちらの領域に属するか又は直線上にあるか）を判別するための式（以下、判別式という。）を利用して、第二垂直補助線を描画する際の描画領域制御について説明する。判別式Ｄは、式ａＸ＋ｂＹ＋ｃ＝０で表される直線に対する点（α，β）の位置関係について、次のように定義される。
【００５０】
【数１】
0004935726.tif 000002
【００５１】
【数２】
0004935726.tif 000003
【００５２】
第二垂直補助線を描画する際に、制御部４１は、第一垂直補助線よりモニタ画面の右側の領域においてのみ第二垂直補助線の描画を許可する。具体的には、制御部４１は、前述した直線Ｌに対するモニタ画面上の基準補助線の左側端点の判別式と、直線Ｌに対するマウス座標（Ｘｍ，Ｙｍ）の判別式を乗算したものが負であるか否か、すなわち、マウス座標（Ｘｍ，Ｙｍ）が直線Ｌ（第一垂直補助線）を境界として基準補助線の左側端点が存在する領域と反対側の領域に存在するか否かを判断する。そして、制御部４１は、直線Ｌに対する基準補助線の左側端点の判別式と、直線Ｌに対するマウス座標（Ｘｍ，Ｙｍ）の判別式を乗算したものが負である場合には、第二垂直補助線の描画を許可する。
【００５３】
第二斜め補助線を描画する際に、制御部４１は、モニタ画面において、第二垂直補助線上においてのみ第二斜め補助線の始点の指定を許可する。具体的には、制御部４１は、第二垂直補助線の上端（６点目）を通り基準補助線に垂直な直線Ｍの式（ｈＸ＋ｉＹ＋ｊ＝０）を取得し、操作部４２のマウスの位置に対応する表示部４３のモニタ画面上の座標（Ｘｍ，Ｙｍ）が直線Ｍの第二垂直補助線上（６点目から基準補助線に下ろした垂線の足まで）に存在する場合にのみ、第二斜め補助線の始点の指定を許可する。
【００５４】
制御部４１は、表示部４３のモニタ画面の第一斜め補助線の始点の指定、第二垂直補助線の描画又は第二斜め補助線の始点の指定を禁止する領域では、操作部４２のマウスによる描画位置を示す図形（マウスカーソル）を第一斜め補助線の始点の指定、第二垂直補助線の描画又は第二斜め補助線の始点の指定を許可する領域における表示とは変更する。具体的には、制御部４１は、第一斜め補助線の始点の指定、第二垂直補助線の描画又は第二斜め補助線の始点の指定を許可する領域では、マウスカーソルとして通常の矢印マークを表示させ、第一斜め補助線の始点の指定、第二垂直補助線の描画又は第二斜め補助線の始点の指定を禁止する領域では、マウスカーソルとして禁止マーク（例えば、×マーク等）を表示させる。
【００５５】
制御部４１は、表示部４３のモニタ画面の第一斜め補助線の始点の指定、第二垂直補助線の描画又は第二斜め補助線の始点の指定を禁止する領域を、第一斜め補助線の始点の指定、第二垂直補助線の描画又は第二斜め補助線の始点の指定を許可する領域とは異なる色で表示させる。
【００５６】
制御部４１は、描画された第一垂直補助線と第一斜め補助線とのなす角度を右ＣＥ角として計測し、描画された第二垂直補助線と第二斜め補助線とのなす角度を左ＣＥ角として計測する。
【００５７】
制御部４１は、操作部４２のマウスからの操作に基づいて、描画された第一垂直補助線と第一斜め補助線の組、第二垂直補助線と第二斜め補助線の組を組単位で移動させる。
【００５８】
制御部４１は、第一垂直補助線と第一斜め補助線の組、又は、第二垂直補助線と第二斜め補助線の組のうちいずれか一の組が移動された場合に、移動後の画像座標系における第一垂直補助線及び第二垂直補助線の基準補助線に沿う方向における位置関係に基づいて、二つの垂直補助線のうち、どちらが相対的に人体の右側に相当する垂直補助線であるか、相対的に人体の左側に相当する垂直補助線であるかを判定する。画像座標系とは、画像ファイルに固有の画像上における座標系をいう。具体的には、制御部４１は、基準補助線の人体の右側に相当する端点を通り基準補助線に垂直な直線Ｎの式（ｔｘ＋ｕｙ＋ｖ＝０）を取得し、第一垂直補助線及び第二垂直補助線のうち、直線Ｎからの距離が小さい方の垂直補助線を、相対的に人体の右側に相当する垂直補助線であると判定する。
【００５９】
なお、本実施の形態では、表示部４３のモニタ画面上におけるモニタ座標系を（Ｘ，Ｙ）、画像ファイルに固有の画像上における画像座標系を（ｘ，ｙ）として区別する。
【００６０】
制御部４１は、相対的に人体の右側に相当する垂直補助線と斜め補助線とのなす角度を右ＣＥ角として再計測し、相対的に人体の左側に相当する垂直補助線と斜め補助線とのなす角度を左ＣＥ角として再計測する。
【００６１】
次に、動作を説明する。
図５は、画像サーバ装置３０において実行される処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。
【００６２】
まず、通信部３４により、画像計測装置４０から画像ファイルの取得要求が受信された場合には（ステップＳ１；ＹＥＳ）、制御部３１により、要求された画像ファイルが記憶部３６から読み出され、通信部３４を介して画像計測装置４０に送信される（ステップＳ２）。
【００６３】
次に、通信部３４により、画像計測装置４０から計測結果が受信された場合には（ステップＳ３；ＹＥＳ）、制御部３１により、受信した計測結果が、計測対象の画像ファイルと対応付けられて記憶部３６に保存される（ステップＳ４）。
以上で、画像サーバ装置３０における処理が終了する。
【００６４】
図６、図７及び図８は、画像計測装置４０において実行される処理を示すフローチャートである。この処理は、制御部４１のＣＰＵと、ＲＯＭ４５に記憶されているプログラムとの協働によるソフトウェア処理によって実現される。
【００６５】
図６に示すように、まず、操作部４２からの操作により、計測対象となる股関節画像の画像ファイルが選択され、制御部４１の制御に従って、通信部４４により、画像サーバ装置３０に対して、選択された股関節画像の画像ファイルの取得要求が送信される。そして、制御部４１により、通信部４４を介して、画像サーバ装置３０から股関節画像の画像ファイルが取得される（ステップＳ１１）。
【００６６】
次に、制御部４１により、取得された股関節画像の画像ファイルに基づいて、表示部４３のモニタ画面に股関節画像が表示される（ステップＳ１２）。
【００６７】
次に、制御部４１により、操作部４２のマウスの位置に対応する表示部４３のモニタ画面上の座標を（Ｘｍ，Ｙｍ）とする割り当て処理が行われる（ステップＳ１３）。
【００６８】
次に、図９（ａ）に示すように、基準補助線の始点となる位置にマウスカーソルＭＣが置かれた状態でユーザにより操作部４２のマウスボタンが押下され、基準補助線の始点位置が指定されると、制御部４１により、マウスボタンが押下された位置のマウス座標（Ｘｍ，Ｙｍ）が取得され、１点目の座標（Ｘ１，Ｙ１）がＸ１＝Ｘｍ、Ｙ１＝Ｙｍと決定される（ステップＳ１４）。
【００６９】
次に、図９（ｂ）に示すように、基準補助線の終点となる位置にマウスカーソルＭＣが置かれた状態でユーザにより操作部４２のマウスボタンが押下され、基準補助線の終点位置が指定されると、制御部４１により、マウスボタンが押下された位置のマウス座標（Ｘｍ，Ｙｍ）が取得され、２点目の座標（Ｘ２，Ｙ２）がＸ２＝Ｘｍ、Ｙ２＝Ｙｍと決定される（ステップＳ１５）。
【００７０】
次に、制御部４１により、表示部４３のモニタ画面に表示されている股関節画像上に、１点目の座標（Ｘ１，Ｙ１）を画像座標系に変換した座標と、２点目の座標（Ｘ２，Ｙ２）を画像座標系に変換した座標とを結ぶ基準補助線が描画される（ステップＳ１６）。
【００７１】
ここで、制御部４１により、２点目のＸ座標Ｘ２が１点目のＸ座標Ｘ１より大きいか否かが判断される（ステップＳ１７）。Ｘ２がＸ１以下の場合には（ステップＳ１７；ＮＯ）、制御部４１により、１点目の座標（Ｘ１，Ｙ１）と２点目の座標（Ｘ２，Ｙ２）が交換される（ステップＳ１８）。すなわち、これ以降の処理においては、基準補助線の両端点のうち、Ｘ座標が小さい方の端点（モニタ画面上の基準補助線の左側端点、すなわち、人体の右側に相当する端点）の座標を１点目の座標（Ｘ１，Ｙ１）、Ｘ座標が大きい方の端点（モニタ画面上の基準補助線の右側端点、すなわち、人体の左側に相当する端点）の座標を２点目の座標（Ｘ２，Ｙ２）として扱う。
【００７２】
ステップＳ１７においてＸ２がＸ１より大きい場合（ステップＳ１７；ＹＥＳ）、又は、ステップＳ１８の後、図９（ｃ）に示すように、第一垂直補助線の上端となる位置にマウスカーソルＭＣが置かれた状態でユーザにより操作部４２のマウスボタンが押下され、第一垂直補助線の上端位置が指定されると、制御部４１により、マウスボタンが押下された位置のマウス座標（Ｘｍ，Ｙｍ）が取得され、３点目の座標（Ｘ３，Ｙ３）がＸ３＝Ｘｍ、Ｙ３＝Ｙｍと決定される（ステップＳ１９）。
【００７３】
そして、制御部４１により、図９（ｃ）に示すように、表示部４３のモニタ画面に表示されている股関節画像上に、３点目の座標（Ｘ３，Ｙ３）を画像座標系に変換した座標を一端（上端）とする、基準補助線に垂直な第一垂直補助線が描画される（ステップＳ２０）。
【００７４】
次に、制御部４１により、３点目の座標（Ｘ３，Ｙ３）を通り基準補助線に垂直な直線Ｌの式（ｅＸ＋ｆＹ＋ｇ＝０）が取得され（ステップＳ２１）、操作部４２のマウスの位置に対応する表示部４３のモニタ画面上の座標（Ｘｍ，Ｙｍ）が直線Ｌの第一垂直補助線上（３点目から基準補助線に下ろした垂線の足まで）に存在するか否かが判断される（ステップＳ２２）。マウス座標（Ｘｍ，Ｙｍ）が第一垂直補助線上に存在しない場合（ステップＳ２２；ＮＯ）、すなわち、図９（ｄ）に示す領域Ａ１にマウスカーソルＭＣがある場合には、制御部４１により、表示部４３のモニタ画面に表示されているマウスカーソルＭＣが禁止マーク（例えば、×マーク等）に変更され（ステップＳ２３）、第一斜め補助線の始点の指定が禁止される。また、制御部４１により、領域Ａ１はモニタ画面の第一斜め補助線の始点の指定を許可する領域（第一垂直補助線上）とは異なる色で表示される。この場合、股関節画像や描画した補助線は見えるように、領域Ａ１に彩色する際には半透明表示を用いる。
【００７５】
マウス座標（Ｘｍ，Ｙｍ）が第一垂直補助線上に存在する場合には（ステップＳ２２；ＹＥＳ）、制御部４１により、マウスカーソルＭＣは通常どおり矢印マークで表示され、第一斜め補助線の始点の指定が許可される。図９（ｄ）に示すように、第一斜め補助線の始点となる位置にマウスカーソルＭＣが置かれた状態でユーザにより操作部４２のマウスボタンが押下され、第一斜め補助線の始点位置が指定されると、制御部４１により、マウスボタンが押下された位置のマウス座標（Ｘｍ，Ｙｍ）が取得され、４点目の座標（Ｘ４，Ｙ４）がＸ４＝Ｘｍ、Ｙ４＝Ｙｍと決定される（ステップＳ２４）。
【００７６】
次に、図１０（ａ）に示すように、第一斜め補助線の終点となる位置にマウスカーソルＭＣが置かれた状態でユーザにより操作部４２のマウスボタンが押下され、第一斜め補助線の終点位置が指定されると、制御部４１により、マウスボタンが押下された位置のマウス座標（Ｘｍ，Ｙｍ）が取得され、５点目の座標（Ｘ５，Ｙ５）がＸ５＝Ｘｍ、Ｙ５＝Ｙｍと決定される（ステップＳ２５）。
【００７７】
次に、制御部４１により、表示部４３のモニタ画面に表示されている股関節画像上に、４点目の座標（Ｘ４，Ｙ４）を画像座標系に変換した座標と、５点目の座標（Ｘ５，Ｙ５）を画像座標系に変換した座標とを結ぶ第一斜め補助線が描画される（ステップＳ２６）。
【００７８】
次に、図７に移り、制御部４１により、直線Ｌに対する１点目の判別式と、直線Ｌに対するマウス座標（Ｘｍ，Ｙｍ）の判別式を乗算したものが負であるか否か、すなわち、マウス座標（Ｘｍ，Ｙｍ）が直線Ｌ（第一垂直補助線）を境界として１点目が存在する領域と反対側の領域に存在するか否かが判断される（ステップＳ２７）。直線Ｌに対する１点目の判別式と、直線Ｌに対するマウス座標（Ｘｍ，Ｙｍ）の判別式を乗算したものが正又は０である場合には（ステップＳ２７；ＮＯ）、すなわち、図１０（ｂ）に示す領域Ａ２にマウスカーソルＭＣがある場合には、制御部４１により、表示部４３のモニタ画面に表示されているマウスカーソルＭＣが禁止マークに変更され（ステップＳ２８）、第二垂直補助線の描画が禁止される。また、制御部４１により、領域Ａ２はモニタ画面の第二垂直補助線の描画を許可する領域とは異なる色で表示される。この場合、股関節画像や描画した補助線は見えるように、領域Ａ２に彩色する際には半透明表示を用いる。
【００７９】
直線Ｌに対する１点目の判別式と、直線Ｌに対するマウス座標（Ｘｍ，Ｙｍ）の判別式を乗算したものが負である場合には（ステップＳ２７；ＹＥＳ）、制御部４１により、マウスカーソルＭＣは通常どおり矢印マークで表示され、第二垂直補助線の描画が許可される。図１０（ｂ）に示すように、第二垂直補助線の上端となる位置にマウスカーソルＭＣが置かれた状態でユーザにより操作部４２のマウスボタンが押下され、第二垂直補助線の上端位置が指定されると、制御部４１により、マウスボタンが押下された位置のマウス座標（Ｘｍ，Ｙｍ）が取得され、６点目の座標（Ｘ６，Ｙ６）がＸ６＝Ｘｍ、Ｙ６＝Ｙｍと決定される（ステップＳ２９）。
【００８０】
そして、制御部４１により、図１０（ｂ）に示すように、表示部４３のモニタ画面に表示されている股関節画像上に、６点目の座標（Ｘ６，Ｙ６）を画像座標系に変換した座標を一端（上端）とする、基準補助線に垂直な第二垂直補助線が描画される（ステップＳ３０）。
【００８１】
次に、制御部４１により、６点目の座標（Ｘ６，Ｙ６）を通り基準補助線に垂直な直線Ｍの式（ｈＸ＋ｉＹ＋ｊ＝０）が取得され（ステップＳ３１）、操作部４２のマウスの位置に対応する表示部４３のモニタ画面上の座標（Ｘｍ，Ｙｍ）が直線Ｍの第二垂直補助線上（６点目から基準補助線に下ろした垂線の足まで）に存在するか否かが判断される（ステップＳ３２）。マウス座標（Ｘｍ，Ｙｍ）が第二垂直補助線上に存在しない場合（ステップＳ３２；ＮＯ）、すなわち、図１０（ｃ）に示す領域Ａ３にマウスカーソルＭＣがある場合には、制御部４１により、表示部４３のモニタ画面に表示されているマウスカーソルＭＣが禁止マークに変更され（ステップＳ３３）、第二斜め補助線の始点の指定が禁止される。また、制御部４１により、領域Ａ３はモニタ画面の第二斜め補助線の始点の指定を許可する領域（第二垂直補助線上）とは異なる色で表示される。この場合、股関節画像や描画した補助線は見えるように、領域Ａ３に彩色する際には半透明表示を用いる。
【００８２】
マウス座標（Ｘｍ，Ｙｍ）が第二垂直補助線上に存在する場合には（ステップＳ３２；ＹＥＳ）、制御部４１により、マウスカーソルＭＣは通常どおり矢印マークで表示され、第二斜め補助線の始点の指定が許可される。図１０（ｃ）に示すように、第二斜め補助線の始点となる位置にマウスカーソルＭＣが置かれた状態でユーザにより操作部４２のマウスボタンが押下され、第二斜め補助線の始点位置が指定されると、制御部４１により、マウスボタンが押下された位置のマウス座標（Ｘｍ，Ｙｍ）が取得され、７点目の座標（Ｘ７，Ｙ７）がＸ７＝Ｘｍ、Ｙ７＝Ｙｍと決定される（ステップＳ３４）。
【００８３】
次に、図１０（ｄ）に示すように、第二斜め補助線の終点となる位置にマウスカーソルＭＣが置かれた状態でユーザにより操作部４２のマウスボタンが押下され、第二斜め補助線の終点位置が指定されると、制御部４１により、マウスボタンが押下された位置のマウス座標（Ｘｍ，Ｙｍ）が取得され、８点目の座標（Ｘ８，Ｙ８）がＸ８＝Ｘｍ、Ｙ８＝Ｙｍと決定される（ステップＳ３５）。
【００８４】
次に、制御部４１により、表示部４３のモニタ画面に表示されている股関節画像上に、７点目の座標（Ｘ７，Ｙ７）を画像座標系に変換した座標と、８点目の座標（Ｘ８，Ｙ８）を画像座標系に変換した座標とを結ぶ第二斜め補助線が描画される（ステップＳ３６）。
【００８５】
次に、制御部４１により、第一垂直補助線と第一斜め補助線とのなす角度が右ＣＥ角として計測され（ステップＳ３７）、第二垂直補助線と第二斜め補助線とのなす角度を左ＣＥ角として計測される（ステップＳ３８）。
【００８６】
次に、制御部４１により、表示部４３のモニタ画面に計測結果が表示される（ステップＳ３９）。図１０（ｄ）の例では、ＣＥ角の計測に用いる各補助線とともに、右ＣＥ角及び左ＣＥ角の値が「右ＣＥ角50.2°  左ＣＥ角47.3°」と表示されている。
【００８７】
次に、図８に移り、制御部４１により、操作部４２からの操作に基づいて、表示部４３のモニタ画面に表示されている股関節画像上の第一垂直補助線と第一斜め補助線の組、又は、第二垂直補助線と第二斜め補助線の組のうちいずれか一の組が移動されたか否かが判断される（ステップＳ４０）。具体的には、移動すべき垂直補助線上にマウスカーソルが置かれた状態でユーザにより操作部４２のマウスボタンが押下され（垂直補助線の選択）、押下したまま移動先の位置でマウスボタンが離されると（移動後の垂直補助線の位置決定）、垂直補助線と斜め補助線の組が移動される。
【００８８】
操作部４２からの操作により、第一垂直補助線と第一斜め補助線の組、又は、第二垂直補助線と第二斜め補助線の組のうちいずれか一の組が移動された場合には（ステップＳ４０；ＹＥＳ）、制御部４１により、図１１に示すように、１点目のモニタ座標（Ｘ１，Ｙ１）を画像座標系に変換した座標（基準補助線の人体の右側に相当する端点）を通り、基準補助線に垂直な直線Ｎの式（ｔｘ＋ｕｙ＋ｖ＝０）が取得される（ステップＳ４１）。直線Ｎの式は画像座標系で表されている。
【００８９】
次に、制御部４１により、画像座標系における第一垂直補助線の基準補助線上の座標（３点目から基準補助線に下ろした垂線の足の座標）（ｘ９，ｙ９）が取得され（ステップＳ４２）、画像座標系における第二垂直補助線の基準補助線上の座標（６点目から基準補助線に下ろした垂線の足の座標）（ｘ１０，ｙ１０）が取得される（ステップＳ４３）。座標（ｘ９，ｙ９）、座標（ｘ１０，ｙ１０）は、図１１に示す点Ｐ又は点Ｑの位置を画像座標系で示したものである。
【００９０】
次に、制御部４１により、座標（ｘ９，ｙ９）、座標（ｘ１０，ｙ１０）のうち、直線Ｎからの距離が小さい方の垂直補助線が、相対的に人体の右側に相当する垂直補助線であると判定される（ステップＳ４４）。
【００９１】
次に、制御部４１により、相対的に人体の右側に相当する垂直補助線と斜め補助線とのなす角度が右ＣＥ角として再計測され（ステップＳ４５）、相対的に人体の左側に相当する垂直補助線と斜め補助線とのなす角度が左ＣＥ角として再計測される（ステップＳ４６）。
【００９２】
次に、制御部４１により、表示部４３のモニタ画面に計測結果が表示され（ステップＳ４７）、ステップＳ４０に戻る。
【００９３】
ステップＳ４０において、表示部４３のモニタ画面に表示されている股関節画像上の第一垂直補助線と第一斜め補助線の組、又は、第二垂直補助線と第二斜め補助線の組の移動がない場合には（ステップＳ４０；ＮＯ）、制御部４１により、計測結果を保存するか否かが判断される（ステップＳ４８）。例えば、操作部４２からの操作により、表示部４３のモニタ画面上で保存ボタンが選択された場合には、計測結果が保存される。
【００９４】
計測結果を保存する場合には（ステップＳ４８；ＹＥＳ）、制御部４１により、描画された各補助線の始点及び終点を示す座標の値（画像座標系）とともに、計測結果（右ＣＥ角及び左ＣＥ角の値）が画像サーバ装置３０に送信される（ステップＳ４９）。計測結果を保存しない場合には（ステップＳ４８；ＮＯ）、そのまま処理が終了する。
以上で、画像計測装置４０における処理が終了する。
【００９５】
以上説明したように、画像計測装置４０によれば、第一垂直補助線上においてのみ第一斜め補助線の始点の指定を許可し、第一垂直補助線よりモニタ画面の右側の領域においてのみ第二垂直補助線の描画を許可し、第二垂直補助線上においてのみ第二斜め補助線の始点の指定を許可するので、予め定められた順序でのみ補助線の描画を許可することができる。したがって、股関節画像のＣＥ角の計測における操作性を向上させるとともに、誤診を防止することができる。
【００９６】
また、表示部４３のモニタ画面の第一斜め補助線の始点の指定、第二垂直補助線の描画又は第二斜め補助線の始点の指定を禁止する領域では、マウスカーソルを第一斜め補助線の始点の指定、第二垂直補助線の描画又は第二斜め補助線の始点の指定を許可する領域における表示とは変更するので、マウスカーソルが第一斜め補助線の始点の指定、第二垂直補助線の描画又は第二斜め補助線の始点の指定を禁止する領域にあることを認識しやすくなる。
【００９７】
また、表示部４３のモニタ画面の第一斜め補助線の始点の指定、第二垂直補助線の描画又は第二斜め補助線の始点の指定を禁止する領域を、第一斜め補助線の始点の指定、第二垂直補助線の描画又は第二斜め補助線の始点の指定を許可する領域とは異なる色で表示させるので、第一斜め補助線の始点の指定、第二垂直補助線の描画又は第二斜め補助線の始点の指定を許可する領域と禁止する領域とを識別可能に表示することができる。
【００９８】
また、第一垂直補助線と第一斜め補助線の組、又は、第二垂直補助線と第二斜め補助線の組のうちいずれか一の組が移動された場合に、移動後の第一垂直補助線及び第二垂直補助線の基準補助線に沿う方向における位置関係に基づいて、相対的に人体の右側に相当する垂直補助線と斜め補助線とのなす角度を右ＣＥ角として再計測し、相対的に人体の左側に相当する垂直補助線と斜め補助線とのなす角度を左ＣＥ角として再計測するので、誤診を防止することができる。
【００９９】
なお、上記実施の形態における記述は、本発明に係る医用画像システムの一例であり、これに限定されるものではない。システムを構成する各装置の細部構成及び細部動作に関しても適宜変更可能である。
【０１００】
例えば、上記実施の形態では、左右の涙痕下端を通る基準補助線、右大腿骨頭の中心を通り基準補助線に垂直な垂直補助線、右大腿骨頭の中心と右臼蓋外側縁とを通る斜め補助線、左大腿骨頭の中心を通り基準補助線に垂直な垂直補助線、左大腿骨頭の中心と左臼蓋外側縁とを通る斜め補助線の順に補助線を描画する場合について説明したが、左右の涙痕下端を通る基準補助線、左大腿骨頭の中心を通り基準補助線に垂直な垂直補助線、左大腿骨頭の中心と左臼蓋外側縁とを通る斜め補助線、右大腿骨頭の中心を通り基準補助線に垂直な垂直補助線、右大腿骨頭の中心と右臼蓋外側縁とを通る斜め補助線の順に補助線を描画することとしてもよい。この場合には、制御部４１は、左大腿骨頭の中心を通り基準補助線に垂直な垂直補助線上においてのみ左大腿骨頭の中心と左臼蓋外側縁とを通る斜め補助線の始点の指定を許可し、左大腿骨頭の中心を通り基準補助線に垂直な垂直補助線よりモニタ画面の左側の領域においてのみ右大腿骨頭の中心を通り基準補助線に垂直な垂直補助線の描画を許可し、右大腿骨頭の中心を通り基準補助線に垂直な垂直補助線上においてのみ右大腿骨頭の中心と右臼蓋外側縁とを通る斜め補助線の始点の指定を許可するようにすればよい。
【０１０１】
また、上記実施の形態では、表示部４３のモニタ画面の第一斜め補助線の始点の指定、第二垂直補助線の描画又は第二斜め補助線の始点の指定を禁止する領域では、操作部４２のマウスによる描画位置を示す図形（マウスカーソル）を第一斜め補助線の始点の指定、第二垂直補助線の描画又は第二斜め補助線の始点の指定を許可する領域における表示とは変更し、かつ、モニタ画面の第一斜め補助線の始点の指定、第二垂直補助線の描画又は第二斜め補助線の始点の指定を禁止する領域を第一斜め補助線の始点の指定、第二垂直補助線の描画又は第二斜め補助線の始点の指定を許可する領域とは異なる色で表示させることとしたが、描画を許可するか否かに応じた色分け表示は行わずに、マウスカーソルの変更のみでもよい。また、マウスカーソルの変更は行わずに、色分け表示のみでもよい。
【０１０２】
また、上記実施の形態では、垂直補助線と斜め補助線の組の移動があった場合に、必ずＣＥ角を再計測することとしたが、基準補助線に沿う方向における二つの垂直補助線相互の位置関係が変更された場合（一の垂直補助線が他の垂直補助線を越えた場合）にのみ、ＣＥ角を再計測することとしてもよい。
【０１０３】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【０１０４】
【図１】本発明の実施の形態における医用画像システムのシステム構成図である。
【図２】画像サーバ装置の機能的構成を示すブロック図である。
【図３】画像計測装置の機能的構成を示すブロック図である。
【図４】モニタ画面における座標の取り方を示す図である。
【図５】画像サーバ装置において実行される処理を示すフローチャートである。
【図６】画像計測装置において実行される処理を示すフローチャートである。
【図７】画像計測装置において実行される処理を示すフローチャートである。
【図８】画像計測装置において実行される処理を示すフローチャートである。
【図９】（ａ）は、基準補助線の始点を指定する際の画面例である。（ｂ）は、基準補助線の終点を指定する際の画面例である。（ｃ）は、第一垂直補助線の上端を指定する際の画面例である。（ｄ）は、第一斜め補助線の始点を指定する際の画面例である。
【図１０】（ａ）は、第一斜め補助線の終点を指定する際の画面例である。（ｂ）は、第二垂直補助線の上端を指定する際の画面例である。（ｃ）は、第二斜め補助線の始点を指定する際の画面例である。（ｄ）は、第二斜め補助線の終点を指定する際の画面例である。
【図１１】基準補助線の人体の右側に相当する端点を通り基準補助線に垂直な直線、第一垂直補助線の基準補助線上の座標、第二垂直補助線の基準補助線上の座標を説明するための図である。
【図１２】ＣＥ角を説明するための図である。
【図１３】従来における問題点を説明するための図である。
【符号の説明】
【０１０５】
１０  ＲＩＳ
２０  モダリティ
３０  画像サーバ装置
３１  制御部
３２  操作部
３３  表示部
３４  通信部
３５  ＲＯＭ
３６  記憶部
３７  バス
４０  画像計測装置
４１  制御部
４２  操作部
４３  表示部
４４  通信部
４５  ＲＯＭ
４６  記憶部
４７  バス
１００  医用画像システム
ＮＴ  ネットワーク
ＭＣ  マウスカーソル
【図１】
0004935726.tif 000004
【図２】
0004935726.tif 000005
【図３】
0004935726.tif 000006
【図４】
0004935726.tif 000007
【図５】
0004935726.tif 000008
【図６】
0004935726.tif 000009
【図７】
0004935726.tif 000010
【図８】
0004935726.tif 000011
【図９】
0004935726.tif 000012
【図１０】
0004935726.tif 000013
【図１１】
0004935726.tif 000014
【図１２】
0004935726.tif 000015
【図１３】
0004935726.tif 000016